(57)【要約】【課題】本発明は、利便性及びプリント発注効率が高い注文票を作成することである。【解決手段】制御部１０は、注文票作成処理において、メディアスロット７に装着された記憶メディアから画像データを取得して収集し、収集した全ての画像データのサムネイル画像を整列してインデックス表示した作成票データを作成し、プリント部１２によりプリントさせる。次いで、作成票を用いて注文票にインデックス表示する画像の選択指示及びその選択された画像に対してのグループ設定の指示を注文票作成者から操作部２により受けると、選択された画像に指示されたグループを設定する。そして、各グループに設定されている画像を抽出してインデックス表示したグループ毎の注文票データを作成し、プリント部１２によりプリントさせる。次いで、注文票を用いてプリント発注を指示されると注文情報を入力し、当該注文情報に基づいて画像のプリント処理を実行する。【選択図】　　　　　図２
2004062293.tif 000002
【特許請求の範囲】
【請求項１】
画像のプリント発注を行うための注文票を作成する注文票作成装置において、
前記画像を取得する取得手段と、
前記取得手段により取得された画像をインデックス表示した作成票データを作成する作成手段と、
前記作成手段により作成された作成票データに基づいて作成票を出力する出力手段と、
前記出力手段により出力された作成票を用いて注文票にインデックス表示する画像を選択する選択手段と、を備え、
前記作成手段は、前記選択手段により選択された画像をインデックス表示した注文票データを作成し、
前記出力手段は、前記作成手段により作成された注文票データに基づいた注文票を出力することを特徴とする注文票作成装置。
【請求項２】
前記選択手段により選択されなかった画像のデータファイルを削除する削除手段を備えることを特徴とする請求項１に記載の注文票作成装置。
【請求項３】
前記選択手段により選択された画像にグループを設定する設定手段を備え、
前記作成手段は、前記設定手段により設定されたグループ毎に、そのグループの画像をインデックス表示した注文票データを作成することを特徴とする請求項１又は２に記載の注文票作成装置。
【請求項４】
前記取得手段により取得された画像の中にプリントに不適切な画像が有る場合、当該画像がプリントに不適切であることを警告する警告手段を備えることを特徴とする請求項１に記載の注文票作成装置。
【請求項５】
前記取得手段により取得された画像における被撮影者の表情の良さを評価する評価手段を備え、
前記作成手段は、前記評価手段による評価結果を画像とともにインデックス表示した作成票データを作成することを特徴とする請求項１に記載の注文票作成装置。
【請求項６】
前記出力手段は、前記作成票又は注文票を印刷出力することを特徴とする請求項１に記載の注文票作成装置。
【請求項７】
前記出力手段により印刷出力された作成票又は注文票にインデックス表示されている各画像には、無線タグが付与されていることを特徴とする請求項６に記載の注文票作成装置。
【請求項８】
前記出力手段は、前記注文票によるプリント発注を受け付けた場合、当該プリント発注を受け付けたことを示す注文受付票を印刷出力することを特徴とする請求項６に記載の注文票作成装置。
【請求項９】
前記出力手段は、前記作成票又は注文票を表示出力し、
前記出力手段により表示出力された作成票又は注文票においてインデックス表示されている画像の拡大表示を指示する指示手段を備えることを特徴とする請求項１に記載の注文票作成装置。
【請求項１０】
前記選択手段により注文票にインデックス表示する画像を選択する際にはプリント発注を制限する制限手段を備えることを特徴とする請求項１に記載の注文票作成装置。
【発明の詳細な説明】
【０００１】
【発明の属する技術分野】
本発明は、画像のプリント発注を行うための注文票を作成する注文票作成装置に関する。
【０００２】
【従来の技術】
近年、写真画像のデジタル化やＡＰＳ（Ａｄｖａｎｃｅｄ　Ｐｈｏｔｏ　Ｓｙｓｔｅｍ）の開発により、撮影された写真画像の一覧をサムネイルでプリントしたインデックスプリントを顧客に渡すことにより、写真画像の確認を行いながらプリント発注することが可能となっている。一般に、結婚式や同窓会等で撮影された写真画像の焼き増しを行う場合は、その幹事や代表者がプリントする写真画像、プリント枚数、プリントサイズ等の注文情報を取りまとめて、プリントサービスを提供している写真専門店や取次店等の店頭でプリント発注することが多い。
【０００３】
【発明が解決しようとする課題】
しかしながら、上記注文方法では、全ての写真画像をインデックス表示した注文票を発行するため、写真画像の中に、被撮影者の表情が好ましくない又はピンぼけしていて仕上がりが良くない等、他の人には見せたくない画像が含まれている場合でもそのような画像を注文票に表示してしまうこととなっていた。
【０００４】
また、例えば結婚式の場合では、新婦側と新郎側とで共に相手側の親戚や友人の写真は通常所望しないため注文する写真画像が限られてくるにも関わらず、従来の注文票には全ての写真画像をインデックス表示しているので、プリント発注者は所望の写真画像を検索しづらく不便であり、プリント発注の効率が悪かった。
【０００５】
本発明は、利便性及びプリント発注効率が高い注文票を作成することである。
【０００６】
【課題を解決するための手段】
請求項１に記載の発明は、
画像のプリント発注を行うための注文票を作成する注文票作成装置において、
前記画像を取得する取得手段と、
前記取得手段により取得された画像をインデックス表示した作成票データを作成する作成手段と、
前記作成手段により作成された作成票データに基づいて作成票を出力する出力手段と、
前記出力手段により出力された作成票を用いて注文票にインデックス表示する画像を選択する選択手段と、を備え、
前記作成手段は、前記選択手段により選択された画像をインデックス表示した注文票データを作成し、
前記出力手段は、前記作成手段により作成された注文票データに基づいた注文票を出力することを特徴としている。
【０００７】
この請求項１に記載の発明によれば、注文票を作成する前に、取得した画像をインデックス表示した作成票を作成し、この作成票を用いて注文票にインデックス表示する画像を選択するので、プリント発注が不要な画像を注文票から除くことができ、注文票作成者の意図に応じた、利便性及びプリント発注効率の高い注文票を作成することができる。
【０００８】
請求項２に記載の発明は、請求項１に記載の注文票作成装置において、
前記選択手段により選択されなかった画像のデータファイルを削除する削除手段を備えることを特徴としている。
【０００９】
この請求項２に記載の発明によれば、選択されなかった画像のデータファイルを削除するので、選択されなかった画像を誤ってプリント発注された場合でも、その画像を不用意にプリントしてしまうことを防ぐことができる。
【００１０】
請求項３に記載の発明は、請求項１又は２に記載の注文票作成装置において、
前記選択手段により選択された画像にグループを設定する設定手段を備え、
前記作成手段は、前記設定手段により設定されたグループ毎に、そのグループの画像をインデックス表示した注文票データを作成することを特徴としている。
【００１１】
この請求項３に記載の発明によれば、画像にグループを設定し、グループ毎に注文票データを作成するので、そのグループに対応するプリント発注者が所望する画像を多く含む注文票を作成することができ、より利便性及びプリント発注効率の高い注文票を作成することができる。
【００１２】
請求項４に記載の発明は、請求項１に記載の注文票作成装置において、
前記取得手段により取得された画像の中にプリントに不適切な画像が有る場合、当該画像がプリントに不適切であることを警告する警告手段を備えることを特徴としている。
【００１３】
この請求項４に記載の発明によれば、プリントに不適切な画像が有る場合は警告を行うので、作成票を用いて注文票にインデックス表示する画像を選択する際に、注文票作成者は警告された画像を選択しないように対応をとることができ、よりプリント発注効率が高い注文票を作成することができる。
【００１４】
請求項５に記載の発明は、請求項１に記載の注文票作成装置において、
前記取得手段により取得された画像における被撮影者の表情の良さを評価する評価手段を備え、
前記作成手段は、前記評価手段による評価結果を画像とともにインデックス表示した作成票データを作成することを特徴としている。
【００１５】
この請求項５に記載の発明によれば、被撮影者の表情の良さを評価し、その評価結果を画像とともに作成票にインデックス表示するので、作成票を用いて注文票にインデックス表示する画像を選択する際に、注文票作成者は評価が高い画像を選択するよう対応をとることができ、よりプリント発注効率が高い注文票を作成することができる。
【００１６】
請求項６に記載の発明は、請求項１に記載の注文票作成装置において、
前記出力手段は、前記作成票又は注文票を印刷出力することを特徴としている。
【００１７】
この請求項６に記載の発明によれば、作成票又は注文票を印刷出力するので、注文票作成者は、印刷出力された作成票により画像を確認しながら注文票を作成することができるとともに作成した注文票を印刷物としてプリント発注者に対して配布することができる。
【００１８】
請求項７に記載の発明は、請求項６に記載の注文票作成装置において、
前記出力手段により印刷出力された作成票又は注文票にインデックス表示されている各画像には、無線タグが付与されていることを特徴としている。
【００１９】
この請求項７に記載の発明によれば、画像毎に無線タグを付与されているので、この無線タグにより容易に各画像を識別することが可能となる。
【００２０】
請求項８に記載の発明は、請求項６に記載の注文票作成装置において、
前記出力手段は、前記注文票によるプリント発注を受け付けた場合、当該プリント発注を受け付けたことを示す注文受付票を印刷出力することを特徴としている。
【００２１】
この請求項８に記載の発明によれば、注文受付票を印刷出力するので、プリント発注者がプリント発注を受注されたことを容易に確認することができる。
【００２２】
請求項９に記載の発明は、請求項１に記載の注文票作成装置において、
前記出力手段は、前記作成票又は注文票を表示出力し、
前記出力手段により表示出力された作成票又は注文票においてインデックス表示されている画像の拡大表示を指示する指示手段を備えることを特徴としている。
【００２３】
この請求項９に記載の発明によれば、作成票又は注文票を表示出力し、インデックス表示されている画像の拡大表示を指示することができるので、表示された作成票により容易に注文票を作成することができるとともに選択した画像の詳細な部分まで確認することができ、注文票作成における操作性が向上する。
【００２４】
請求項１０に記載の発明は、請求項１に記載の注文票作成装置において、
前記選択手段により注文票にインデックス表示する画像を選択する際にはプリント発注を制限する制限手段を備えることを特徴としている。
【００２５】
この請求項１０に記載の発明によれば、作成票を用いて画像を選択する際にはプリント発注を制限するので、注文票作成者が誤って作成票によりプリント発注を行ってしまうことを防ぐことができる。
【００２６】
【発明の実施の形態】
以下、図を参照して本発明の実施の形態を詳細に説明する。
まず、構成を説明する。
図１は、本実施の形態における注文票作成装置１の外観図である。
図１において、注文票作成装置１は、その前面に各種操作ボタン２ａ〜２ｉを有する操作部２、表示画面を有する表示部３、プリント発注を受け付けたことを示す注文受付票を排紙する注文受付票取出口８を備え、上部にはスキャナ４、注文票又は注文票を作成するための作成票を排紙する注文票取出口９を備えている。
【００２７】
また、側面には無線通信を行うための無線アンテナ５、デジタルカメラ用の記憶メディアであるメモリスティック（登録商標）、スマートメディア（登録商標）、コンパクトフラッシュ（登録商標）、マルチメディアカード（登録商標）、ＳＤメモリカード（登録商標）等のカード状又はスティック状の半導体メモリからなる各種記憶メディアを注文票作成装置１に着脱するためのメディアスロット７、ＣＤ−Ｒ（Ｃｏｍｐａｃｔ　Ｄｉｓｋ−Ｒｅｃｏｒｄａｂｌｅ）又はＤＶＤ−Ｒ（Ｄｉｇｉｔａｌ　ＶｅｒｓａｔｉｌｅＤｉｓｋ−Ｒ）を注文票作成装置１に着脱するためのＣＤ−Ｒ／ＤＶＤ−Ｒスロット６を備えている。なお、上述した記憶メディアに限らず、ＭＯ（Ｍａｇｎｅｔｏ　Ｏｐｔｉｃａｌ　Ｄｉｓｋ）、フロッピー（登録商標）ディスク等の光磁気、磁気的記憶媒体を着脱可能な構成としてもよい。
【００２８】
次に、図２のブロック図を参照して、図１に示した注文票作成装置１の機能的構成を説明する。なお、図１で示した構成部と同一の構成部には同一の符号を付す。
図２において、注文票作成装置１は、制御部１０、操作部２、表示部４、メディア読込／書込部１１、プリント部１２、記憶部１３、通信部１４から構成され、各部はバス１６により接続される。
【００２９】
制御部１０は、ＣＰＵ（Ｃｅｎｔｒａｌ　Ｐｒｏｃｅｓｓｉｎｇ　Ｕｎｉｔ）やＲＡＭ（Ｒａｎｄｏｍ　ＡｃｃｅｓｓＭｅｍｏｒｙ）等により構成される。制御部１０のＣＰＵは、記憶部１３に格納されている注文票作成装置１用の各種制御プログラムを読み出してＲＡＭ内のワークエリアに展開し、当該プログラムに従った処理を実行し、その処理結果をＲＡＭに格納するとともに表示部３に表示させ、ＲＡＭに格納した処理結果を記憶部１３の所定の保存先に保存させる。
【００３０】
具体的には、制御部１０は、記憶部１３から注文票作成処理プログラムを読み出して後述する注文票作成処理を実行する。
制御部１０は、注文票作成処理において、メディアスロット７に装着された記憶メディアから画像データを取得して収集し、記憶部１３に記憶させると収集した全ての画像データのサムネイル画像を整列してインデックス表示した作成票データを作成し、プリント部１２により作成票をプリントさせる。このとき、全画像データに対して画像解析を行い、被撮影者の表情を評価して、その評価結果を各画像とともにプリントさせてもよいし、プリントに不適切な画像を検出して警告メッセージを表示部３に表示させることとしてもよい。
【００３１】
次いで、作成票を用いて注文票にインデックス表示する画像の選択指示及びその選択された画像に対してグループを設定する指示を注文票作成者から操作部２により受けると、選択された画像に指示されたグループを設定する。この選択時には、制御部１０は、プリント発注を制限する。そして、各グループに設定されている画像を抽出してインデックス表示した、グループ毎の注文票データを作成してプリント部１２により注文票をプリントさせる。このとき、注文票にインデックス表示する画像として選択されなかった画像のデータファイルを記憶部１３から削除する。次いで、注文票を用いてプリント発注を指示されるとその注文情報を入力し、入力した注文情報に基づいて画像のプリント処理を実行する。
【００３２】
すなわち、制御部１０は、本発明の請求項に記載した作成手段、削除手段、評価手段、制限手段としての機能を有する。
【００３３】
操作部２は、プリントボタン２ａ、取り消しボタン２ｂ、完了ボタン２ｃ、Ｇボタン２ｄ、Ａボタン２ｅ、Ｂボタン２ｆ、Ｄボタン２ｇ、指定ボタン２ｈ、ズームボタン２ｉの各種機能に応じた操作ボタンを有し、押下されたボタンに対応する押下信号を制御部１０に出力する。なお、操作部４は、必要に応じてマウス、タッチパネル等のポインティングディバイスや、その他の操作入力装置を備えることとしてもよい。
【００３４】
上記各種操作ボタン２ａ〜２ｉについて詳細に説明する。
プリントボタン２ａは、プリント発注時にプリント枚数を入力指示するボタンであり、押下された回数分のプリント枚数を設定することができる。取り消しボタン２ｂは、プリントの取り消しを指示するボタンで、押下された回数分のプリント枚数を設定枚数から差し引いてプリントを取り消す。完了ボタン２ｃは、プリント発注の完了を指示する。
【００３５】
また、Ｇボタン２ｄはＧグループを、Ａボタン２ｅはＡグループを、Ｂボタン２ｆはＢグループを、Ｄボタン２ｇはＤグループを画像に設定するよう指示するボタンであり、画像が選択された状態で各ボタン２ｄ〜２ｇを押下されると、その画像に押下されたボタンに対応するグループを設定する。すなわち、Ｇボタン２ｄ、Ａボタン２ｅ、Ｂボタン２ｆ、Ｄボタン２ｇは、本発明の請求項に記載した設定手段としての機能を有する。
【００３６】
指定ボタン２ｈは、注文票又は作成票でインデックス表示された画像のコマ位置と一致する位置に各ボタンを有し、この指定ボタン２ｈ上に、注文票又は作成票を所定の位置、つまり指定ボタン２ｈの各ボタンと画像のコマが一致するように載置して、画像の選択時にその紙面上から選択した画像を押下されると、その画像の下部にある指定ボタン２ｈが押下されることとなり、画像を指定することができる。なお、指定ボタン２ｈは、各ボタンを識別できるように数字を表示したボタンとしてもよい。すなわち、指定ボタン２ｈは、本発明の請求項に記載した選択手段としての機能を有する。
【００３７】
ズームボタン２ｉは、表示部３に表示された画像の拡大又は縮小を指示するボタンである。すなわち、ズームボタン２ｉは、本発明の請求項に記載した指示手段としての機能を有する。
【００３８】
表示部３は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成された表示画面を有し、制御部１０の指示に従って各種処理結果や操作部２からの操作指示、警告メッセージ等の各種データを表示する。また、表示部３は、制御部１０からの指示に従って、制御部１０により作成された作成票データ又は注文票データを表示出力する。すなわち、表示部３は、本発明の請求項に記載した出力手段、警告手段としての機能を有する。
【００３９】
メディア読込／書込部１１は、制御部１０の読出指示に従って、ＣＤ−Ｒ／ＤＶＤ−Ｒスロット６、メディアスロット７に装着された各種記憶メディアに記憶されているデータの読み取りを行う一方で、制御部１０の書込指示に従って、指定されたデータを指定された記憶メディアに書き込み、保存させる。すなわち、メディア読込／書込部１１は、本発明の請求項に記載した取得手段としての機能を有する。
【００４０】
プリント部１２は、制御部１０の印刷指示に従って、注文票、作成票又は注文受付票を印刷出力し、注文票及び作成票は注文票取出口９に、注文受付票は注文受付票取出口８に排紙する。プリント部１２における印刷方式は、インクジェット方式、熱転写方式、レーザー方式、昇華型方式、ＴＡ方式等の何れの方式も適用可能である。また、印刷用紙は、連続用紙（ロール紙）、単票用紙（カット紙）の何れも適用可能であり、必要事項が予め印刷されているものであってもよい。すなわち、プリント部１２は、本発明の請求項で記載した出力手段としての機能を有する。
【００４１】
記憶部１３は、プログラムやデータ等が予め記憶されているＨＤ（Ｈａｒｄ　Ｄｉｓｋ、図示せず）等を備え、このＨＤに注文票作成装置１で実行可能な各種制御プログラム及び各種制御プログラムで処理されたデータ等を記憶する。なお、プログラムはコンピュータが読み取り可能なプログラムコードにより記述されているとする。
【００４２】
また、記憶部１３は、その内部に画像を記憶する画像記憶領域を有し、制御部１０の指示に従って入力された画像データのデータファイルをこの画像記憶領域に記憶する。
【００４３】
通信部１４は、無線アンテナ５制御して外部機器と無線通信を行い、各種データの送受信を行う。通信部１４は、無線アンテナ５を制御して例えば写真画像の画像データを受信し、当該画像データを記憶部１３に出力する。なお、通信部１４は、ＵＳＢ（Ｕｎｉｖｅｒｓａｌ　Ｓｅｒｉａｌ　Ｂｕｓ）、ＩＥＥＥ１３９４等のインタフェースを備えて、例えばデジタルカメラと接続して通信を行い、画像データを受信して取得することとしてもよい。すなわち、通信部１４は、本発明の請求項に記載した取得手段としての機能を有する。
【００４４】
次に、本実施の形態の動作を説明する。
図３は、注文票作成装置１の制御部１０により実行される注文票作成処理を説明するためのフローチャートである。説明の前提として、注文票を作成する注文票作成者により画像データが記憶されている記憶メディアをスロット７に装着され、注文票の作成開始を指示されたものとする。
【００４５】
図３において、まず制御部１０は、スロット７に装着された記憶メディアに記憶されている画像データをメディア読込／書込部１１により読み取らせて、写真画像の画像データを取得して収集する（ステップＳ１）。なお、本実施の形態では、メディアスロット７に装着された記憶メディアから画像データを取得するとして説明を行うが、例えばＣＤ−Ｒ／ＤＶＤ−Ｒスロット６に装着されたＣＤ−ＲやＤＶＤ−Ｒ等の光学的記憶メディアから取得してもよいし、通信部１４により例えばデジタルカメラ等の外部機器から画像データを受信して取得することとしてもよい。そして、制御部１０は、収集した各画像データをデータファイルとしてファイル番号を付与して記憶部１３に記憶させる。
【００４６】
次いで、制御部１０は、収集した全ての画像データファイルに対して、作成票に画像のインデックス表示を行うために、画像ファイル毎にサムネイル画像を作成する。そして、作成したサムネイル画像を撮影された時間順に又は撮影カメラ別に、等の所定の整列方法で整列して（ステップＳ２）、作成票を特定するためのバーコード及び各サムネイル画像を特定するためのバーコードを生成して、整列したサムネイル画像をインデックス表示した作成票データを作成する。次いで、制御部１０は、作成した作成票データに基づいてプリント部１２により作成票をプリントさせる（ステップＳ３）。図４にプリントした作成票の一例を示す。作成票は、図４に示すように、サムネイル画像がインデックス表示され、上部左側には作成票を特定するためのバーコードｘが、各サムネイル画像の下部左側には各画像を特定するためのバーコードｙがプリントされる。また、各サムネイル画像の下部には、Ｇ、Ａ、Ｂ、Ｄの各グループを選択可能なグループ選択欄を設けられる。なお、このグループ選択欄はマークシート方式であってもよい。
【００４７】
ここで、グループについて詳細に説明する。Ｇ、Ａ、Ｂの各グループの属性は、注文票作成者が任意の条件で決定することが可能であり、例えば結婚式の場合、新郎側の出席者が多く写っている画像をＡグループ、新婦側の出席者が多く写っている画像をＢグループ、新郎新婦が多く写っている画像をＧグループとして、注文票作成者はグループの属性を決定する。そして、Ｄグループは削除してもよい画像を分類するためのグループであり、Ｄグループが設定された画像のデータファイルは注文票を作成する際に削除されることとなる。
【００４８】
次いで、制御部１０はプリントした作成票を指定ボタン２ｈ上に載置するよう促すメッセージを表示部３に表示させ、注文票作成者により作成票が載置されると、グループ毎の注文票にインデックス表示する画像を選択して、さらにその画像をどのグループに設定するかをＧボタン２ｄ、Ａボタン２ｅ、Ｂボタン２ｆ、Ｄボタン２ｇにより選択するよう促すメッセージを表示させて、画像及びグループを選択指示させる（ステップＳ４）。
【００４９】
詳細には、作成した作成票データを表示部３に表示させて、作成票でインデックス表示した全画像のサムネイル画像を表示し、注文票作成者に選択した画像を指定ボタン２ｈ上に載置した作成票の上から押下させる。つまり作成票の下部にある指定ボタン２ｈが押下されることとなり、制御部１０は指定ボタン２ｈにより指定された画像を拡大表示して選択状態とする。このとき、ズームボタン２ｉを押下することにより選択された画像をさらに拡大又は縮小表示して、画像の詳細を確認することが可能である。
【００５０】
なお、作成票データを作成する際に、制御部１０が収集した全画像データに対して画像解析を行い、例えばパターン認識により被撮影者の顔の表情を判別し、例えば笑顔の度合いや表情の端正さの度合い等、表情の良さを評価し、その評価結果としての評価値を画像とともにプリントしておき、注文票作成者が注文票にインデックス表示する画像を選択する際の参考となるようにしてもよい。これにより例えば似たような場面の画像が複数ある場合でも、格式ある場面では端正な表情の画像を選択したり、笑顔が好ましい画像を選択したりするように注文票作成者を誘導することができる。また、同様に制御部１０が画像解析を行って、例えば画像の鮮鋭度が低くピンぼけしている、画像のブレが有る、フラッシュ光量が不足している、又は逆光により被撮影者の表情が見えない等、プリントに不適切な画像を検出し、その画像とともに“ピンぼけしています”等の警告メッセージを表示した作成票をプリントして、注文票作成者が注文票にインデックス表示する画像として、プリントに不適切な画像を選択しないように注意喚起することとしてもよい。
【００５１】
そしてこの作成票における画像の選択時には、制御部１０はプリントボタン２ａによる操作を禁止又は動作制限してプリント発注を制限し、注文票作成者が誤って作成票を用いて画像をプリントしてしまうことを防ぐこととする。具体的には、プリントボタン２ａの操作指示を無効にしてプリント発注を禁止する、或いは画像の確認又は保存のために全画像の１枚づつの一括プリントを１回だけ許可することとして動作制限をかける。
【００５２】
次いで、注文票にインデックス表示するとして選択した画像に対して注文票作成者が設定したいグループを各グループボタン２ｄ〜２ｇにより設定指示させる。例えば上述した結婚式の例では、新郎側の出席者が多く写っている画像をＡグループ、新婦側の出席者が多く写っている画像をＢグループ、新郎新婦が多く写っている画像をＧグループとして、注文票作成者は作成票に表示された画像を判別して適切なグループを設定し、仕上がりが悪い等、プリント発注させたくない画像はＤグループに設定する。制御部１０は、注文票作成者の設定指示に応じたグループ設定を終えると、図５に示すように表示部３に表示された作成票の各画像のグループ選択欄にチェックマークを表示し、設定したグループを注文票作成者が確認できるようにする。
【００５３】
このようにして全ての画像においてグループ設定が行われると、制御部１０は「グループ毎の注文票を印刷します。グループボタンによりグループを指定して下さい。同時に指定されたグループの写真は、１つの注文票に印刷されます。」等のメッセージを表示部３に表示させて、操作部２により操作指示されたグループ毎の画像を抽出してグループ毎の注文票データを作成し、作成した注文票データに基づいてプリント部１２にグループ毎の注文票をプリントさせる（ステップＳ５）。なお、作成票を用いて行うインデックス表示候補の画像の選択及びグループ設定は、注文票作成者が各画像のグループを選択してチェックを記入した又はマークシート方式によりマークされた作成票をスキャナ４により読み取らせて、作成票のバーコード、各画像のバーコード及び各画像において選択されたグループを認識することとしてもよい。
【００５４】
例えば、Ｇグループの注文票Ｇは、図６に示すようにＧグループが設定された画像を抽出して整列し、Ａグループの注文票Ａは、図７に示すようにＡグループが設定された画像を抽出して整列した注文票データをそれぞれ作成してプリントする。また、複数のグループを指定された場合、例えばＧボタン２ｄとＢボタン２ｆが同時に押下された場合は、図８に示すようにＧグループが設定された画像とＢグループが設定された画像とを抽出して整列した注文票Ｇ＋Ｂをプリントする。このように、単一のグループのみの注文票や、Ｇ＋Ｂ、Ｇ＋Ａ＋Ｂ等のように必要に応じて複数グループを組み合わせた注文票を作成することが可能である。
【００５５】
図６〜８に示すように、各注文票の左側上部には、注文票を特定するためのバーコードｚが、そして作成票と同様に各画像を特定するためのバーコードｙがプリントされ、各サムネイル画像の下部にはプリント枚数等の注文情報を記入する記入欄がプリントされる。ここでは、注文情報としてプリント枚数を記入できるようにしているが、プリントサイズや、サービスとして提供可能であるならばプリント料金の支払い方法（例えば現金決済、銀行振り込み、郵便振替、法人処理等）、プリント方法（例えば焼き増し、アルバム、ＣＤ−Ｒ作成、シールプリント等）等の他の注文情報を含む注文票であってもよい。
【００５６】
また、注文票データの作成時には、「注文票のタイトルを入力して下さい。」等のメッセージを表示部３に表示させて、操作部２により操作入力された注文票のタイトル名を、注文票に印刷することが好ましい。例えば、上述した例では、注文票Ｇでは“ご両家様　ご注文票”　、注文票Ａでは“Ａ家様　ご注文票”、注文票Ｇ＋Ｂでは“Ｂ家様　ご注文票”といったようなタイトル名を印刷することにより、プリント発注者に誤って不適切なグループの注文票が配布されることを防ぐことができる。
【００５７】
そしてこれらの注文票データの作成時には、制御部１０は、Ｄグループが設定されている画像のデータファイルを記憶部１３から削除する。そして、制御部１０は、注文票に注文情報を記入するように促すメッセージを表示部３に表示し、注文情報の入力を待機する。
【００５８】
プリントされたグループ毎の注文票は、注文票作成者がコピーする又は必要枚数分を注文票作成装置１によりプリントして、各グループに対応するプリント発注者に配布する。そして、注文票作成者は各グループのプリント発注者から注文情報が記入された注文票を収集し、注文票作成装置１を操作して注文情報の入力を開始する。なお、注文情報の入力は、各グループのプリント発注者が注文票作成装置１を操作して入力することとしてもよい。
【００５９】
注文票作成者により注文情報の入力を開始されると、制御部１０は、注文票をスキャナ４により読み取ってその注文票を特定するバーコードｚ、各画像を特定するバーコードｙ及び注文情報であるプリント枚数を入力して（ステップＳ６）、入力したバーコードに対応する注文票、画像及びそのプリント枚数を認識する。そして、認識した注文票を表示部３に表示して、注文票にインデックス表示されたサムネイル画像を表示する。なお、注文票を特定するバーコードのみを読み取った後、注文票作成者が注文票を指定ボタン２ｈ上に載置してプリント対象の画像を押下し、記入されているプリント枚数分、プリントボタン２ａを押下して注文情報であるプリント枚数を操作指示し、制御部１０が操作指示された注文情報を入力することとしてもよい。
【００６０】
ここで、表示された注文票のサムネイル画像とそのプリント枚数を確認した注文票作成者により完了ボタン２ｃが押下された場合は、制御部１０は、その注文内容でプリント部１２により画像をプリントさせる（ステップＳ７）。そして、注文を受け付けたことを示す注文受付票、例えばプリントした画像のファイル番号、プリント枚数、プリント料金等の注文内容をプリントした注文受付票を発行し、プリント部１２によりプリントさせる。なお、注文票によるプリント発注では、ＦＡＸや同一の注文票がコピーされたものも受け付けるため、注文票を特定するバーコードｚが同一であっても複数の注文を受け付けることとする。しかし、その場合でも、注文自体を識別するためにその注文に固有の識別番号を発行して、注文受付票にその注文の識別番号をプリントすることが好ましい。また、その注文の識別番号は、注文を受け付けた通し番号、日時分秒、プリント発注者の氏名のうちの何れか一つ又はその組み合わせであることが好ましい。
【００６１】
一方で、注文票作成者により注文情報が記入された注文票を指定ボタン２ｈ上に載置され、プリント枚数の変更指示を受けた場合は、プリント枚数の変更対象の画像を指定ボタン２ｈにより選択するよう促すメッセージを表示させて、プリント枚数の変更対象の画像を選択指示させる。詳細には、注文票の作成時と同様に、選択する画像を注文票の上から注文票作成者に押下させる。そして、指定ボタン２ｈにより指定された画像を拡大表示して選択状態とし、プリントボタン２ａ、取り消しボタン２ｂにより所望のプリント枚数を再設定させる。
【００６２】
このようにして、各プリント発注者からの注文票の注文情報を順次、入力して、プリント発注された画像をプリント部１２によりプリントすると、制御部１０は注文票作成処理を終了する。
【００６３】
以上のように、注文票を作成する前に、収集した全画像データのサムネイル画像をインデックス表示した作成票を作成してプリント（印刷出力）又は表示出力し、この作成票を用いて、注文票作成者の操作指示に応じて注文票にインデックス表示する画像を選択するので、仕上がりが良くない画像や注文票を見る人には見せたくない画像等を除いた注文票を作成することができ、利便性及びプリント発注の効率が高い注文票を作成することができる。
【００６４】
また、作成票において、注文票にインデックス表示する画像を選択すると同時に、注文票作成者の操作指示に応じて各画像をグループ分類し、各グループに対応する画像のみをインデックス表示したグループ毎の注文票を作成するので、グループ毎の注文票にはそのグループに対応するプリント発注者が所望する画像が多く含まれることとなり、プリントの発注効率を向上させることができる。また、複数のグループを組み合わせて注文票を作成することができ、より利便性が向上する。
【００６５】
また、作成票において、被撮影者の表情が好ましくない画像であったり、ピンぼけやブレ等により仕上がりが良くない画像を注文票作成者の操作指示に応じてＤグループに分類し、注文票作成時にはＤグループに分類された画像のデータファイルを削除するので、プリント発注者が誤ってＤグループの画像を指定したり、バーコードの読み取りエラーによりＤグループの画像を誤って指定した場合でも、その画像が実際にプリントされてしまうことを防ぐことができる。
【００６６】
また、作成票において、注文票のインデックス表示をする画像を選択する際には各画像の画像データを画像解析して、被撮影者の顔の表情の良さに対する評価値を画像毎に算出するので、注文票作成者は笑顔の評価値が高い画像を選択する等、画像の選択がしやすくなり、利便性が向上する。同様に、画像解析により、画像の鮮鋭度が低い、ブレが有る、フラッシュ光量が不足している、逆光により被撮影者の顔の表情が見えない等、プリントに不適切な画像を検出し、警告するので、注文票作成者は警告された画像を選択しないようにする等して対応をとることが可能となり、利便性が向上する。
【００６７】
本実施の形態における記述は、本発明に係る好適な注文票作成装置１の一例であり、これに限定されるものではない。
例えば、上述した説明では、注文票作成者が任意にグループの属性を決定可能なグループとして、Ｇ、Ａ、Ｂの３つのグループを例として挙げて説明したが、そのグループ数は特に限定しない。
【００６８】
また、作成票、注文票又は画像を特定するためにバーコードを適用していたが、これに限らず、数字であってもよいし、無線タグ等を適用することとしてもよい。特に、無線タグを使用することにより前回プリント発注を受注した履歴等を無線タグに記憶しておくことができ、注文受付票をプリントしなくても注文を受け付けたことを確認することが可能となって、より利便性が向上する。
【００６９】
また、作成票又は注文票は、印刷用紙にプリント出力して利用していたが、プリント出力せずに、表示部３に表示出力された作成票又は注文票を参照して注文票の作成又はプリント発注を行うこととしてもよい。この場合、印刷用紙を必要とせず操作部２による操作指示のみで容易に注文票作成又はプリント発注を行うことができ、操作性が向上する。
【００７０】
また、本実施の形態では、作成された注文票により注文票作成装置１でプリント発注を受け付けて画像のプリントを行うこととして説明したが、これに限らず、注文票において、ＣＤ−ＲやＤＶＤ−Ｒ等の記憶メディアに画像を保存する注文方法を選択可能にしておき、記憶メディアに画像を保存する注文方法を選択したことが注文情報として入力された場合にはＣＤ−Ｒ／ＤＶＤ−Ｒスロット６に装着されている記憶メディアに画像を保存することとしてもよい。
【００７１】
なお、本実施の形態では、本発明に係る注文票作成装置の好適な一例として図１に示した構成の注文票作成装置１を説明したが、例えば図９に示すような構成の注文票作成装置１００であってもよい。以下、注文票作成装置１００の構成について詳細に説明する。
【００７２】
図９において、注文票作成装置１００は、携帯部１００ａと、本体部１００ｂから構成され、携帯部１００ａと本体部１００ｂはそれぞれ無線通信機能を備えて互いにデータの送受信を行う。以下に各部の詳細な説明を記述するが、注文票作成装置１と同一の機能を有する各部については同一の符号を付してその詳細な説明を省略することとする。また、注文票作成装置１００の機能的構成は図２に示した注文票作成装置１と同一である。
【００７３】
携帯部１００ａは、図９に示すように注文票作成者が持ちやすいように握り部１８が設けられた形状であり、その握り部分の反対側の先端には注文票又は作成票にプリントされたバーコードを読み取るバーコードリーダ部１７が設けられている。また、携帯部１００ａには、表示部３、プリントボタン２ａ、取り消しボタン２ｂ、完了ボタン２ｃ、Ｇボタン２ｄ、Ａボタン２ｅ、Ｂボタン２ｆ、Ｄボタン２ｇ、ズームボタン２ｉからなる操作部２が設けられる。
【００７４】
本体部１００ｂは、その前面に注文受付票取出口８、ステータス表示や画像を表示する表示部３ａを、側面にメディアスロット７を備えて構成される。また、本体部１００ｂは、プリンタＩ／Ｆを備えてプリンタ１００ｃと接続され、注文票又は作成票のプリントをプリンタ１００ｃにより実行させる。また、通信部１４によりネットワークを介して、画像を管理する画像サーバ１００ｄと接続し、プリント対象の画像を受信する。本体部１００ｂとしては、例えばパーソナルコンピュータ等の情報処理装置を適用してもよい。
【００７５】
注文票作成処理時には、本体部１００ｂの制御部１０が画像データを取得して収集し、作成票データを作成してプリンタ１００ｃにより作成票をプリントさせる。そして、携帯部１００ａのバーコードリーダ１７により作成票にインデックス表示された画像のバーコードを読み取り、各グループボタン２ｄ〜２ｇの操作指示に応じて画像にグループを設定する。また、プリント発注時も同様にプリントする画像のバーコードをバーコードリーダ１７により読み取り、注文情報としてプリントボタン２ａによりプリント枚数を入力する。入力された注文情報は無線通信により本体部１００ｂに送信され、本体部１００ｂの制御部１０は受信した注文情報に基づいて画像のプリントをプリンタ１００ｃに実行させる。
【００７６】
以上のような携帯部１００ａ及び本体部１００ｂから構成される注文票作成装置１００を用いて注文票の作成及びプリント発注を行うことにより、利便性及びプリント発注効率の高い注文票を作成することができるとともに、携帯性を向上させてより注文票作成装置１００の使用範囲を広げることが可能となる。
【００７７】
その他、本実施の形態における注文票作成装置１を構成する各構成部の細部構成及び細部動作に関しても本発明の趣旨を逸脱することのない範囲で適宜変更可能である。
【００７８】
【発明の効果】
請求項１に記載の発明によれば、注文票を作成する前に、取得した画像をインデックス表示した作成票を作成し、この作成票を用いて注文票にインデックス表示する画像を選択するので、プリント発注が不要な画像を注文票から除くことができ、注文票作成者の意図に応じた、利便性及びプリント発注効率の高い注文票を作成することができる。
【００７９】
請求項２に記載の発明によれば、選択されなかった画像のデータファイルを削除するので、選択されなかった画像を誤ってプリント発注された場合でも、その画像を不用意にプリントしてしまうことを防ぐことができる。
【００８０】
請求項３に記載の発明によれば、画像にグループを設定し、グループ毎に注文票データを作成するので、そのグループに対応するプリント発注者が所望する画像を多く含む注文票を作成することができ、より利便性及びプリント発注効率の高い注文票を作成することができる。
【００８１】
請求項４に記載の発明によれば、プリントに不適切な画像が有る場合は警告を行うので、作成票を用いて注文票にインデックス表示する画像を選択する際に、注文票作成者は警告された画像を選択しないように対応をとることができ、よりプリント発注効率が高い注文票を作成することができる。
【００８２】
請求項５に記載の発明によれば、被撮影者の表情の良さを評価し、その評価結果を画像とともに作成票にインデックス表示するので、作成票を用いて注文票にインデックス表示する画像を選択する際に、注文票作成者は評価が高い画像を選択するよう対応をとることができ、よりプリント発注効率が高い注文票を作成することができる。
【００８３】
請求項６に記載の発明によれば、作成票又は注文票を印刷出力するので、注文票作成者は、印刷出力された作成票により画像を確認しながら注文票を作成することができるとともに作成した注文票を印刷物としてプリント発注者に対して配布することができる。
【００８４】
請求項７に記載の発明によれば、画像毎に無線タグを付与されているので、この無線タグにより容易に各画像を識別することが可能となる。
【００８５】
請求項８に記載の発明によれば、注文受付票を印刷出力するので、プリント発注者がプリント発注を受注されたことを容易に確認することができる。
【００８６】
請求項９に記載の発明によれば、作成票又は注文票を表示出力し、インデックス表示されている画像の拡大表示を指示することができるので、表示された作成票により容易に注文票を作成することができるとともに選択した画像の詳細な部分まで確認することができ、注文票作成における操作性が向上する。
【００８７】
請求項１０に記載の発明によれば、作成票を用いて画像を選択する際にはプリント発注を制限するので、注文票作成者が誤って作成票によりプリント発注を行ってしまうことを防ぐことができる。
【図面の簡単な説明】
【図１】本発明を適用した実施の形態の注文票作成装置１の外観図である。
【図２】図１の注文票作成装置１の機能的構成を示すブロック図である。
【図３】図２の制御部１０により実行される注文票作成処理を説明するためのフローチャートである。
【図４】注文票作成処理において作成された作成票の一例を示す図である。
【図５】注文票にインデックス表示する画像の選択及びその画像のグループを設定した後の作成票の一例を示す図である。
【図６】Ｇグループの注文票Ｇを示す図である。
【図７】Ａグループの注文票Ａを示す図である。
【図８】ＧグループとＢグループを組み合わせた注文票Ｇ＋Ａを示す図である。
【図９】他の実施の形態における注文票作成装置１００の外観図である。
【符号の説明】
１、１００　　注文票作成装置
２　　操作部
３　　表示部
４　　スキャナ
５　　無線アンテナ
６　　ＣＤ−Ｒ／ＤＶＤ−Ｒスロット
７　　メディアスロット
８　　注文受付票取出口
９　　注文票取出口
１０　　制御部
１１　　メディア読込／書込部
１２　　プリント部
１３　　記憶部
１４　　通信部
【図１】
2004062293.tif 000003
【図２】
2004062293.tif 000004
【図３】
2004062293.tif 000005
【図４】
2004062293.tif 000006
【図５】
2004062293.tif 000007
【図６】
2004062293.tif 000008
【図７】
2004062293.tif 000009
【図８】
2004062293.tif 000010
【図９】
2004062293.tif 000011